(57)【要約】【課題】見本画像に近似した色調の出力画像を容易に得る画像処理を可能にする。【解決手段】画像処理装置１００は、入力された画像情報（入力画像情報）と、当該入力画像情報と同一の被写体が記録され、分割測光処理済みの見本画像（見本写真）から、共通する複数の特徴点を抽出し、その抽出された共通特徴点に基づいて、入力画像情報に対する信号変換条件を設定し、その設定された信号変換条件に従って、入力画像情報を階調変換する。【選択図】図２
2005217619.tif 000002
【特許請求の範囲】
【請求項１】
記録媒体に記録された画像情報を入力する画像入力工程と、
前記画像入力工程において入力された画像情報と、当該入力された画像情報と同一の被写体が記録された見本画像から、共通する複数の特徴点を抽出する抽出工程と、
前記抽出工程において抽出された複数の特徴点に基づいて、前記入力された画像情報に対する信号変換条件を設定する設定工程と、
前記設定工程において設定された信号変換条件に従って、前記入力された画像情報を階調変換する階調変換工程と、
を含むことを特徴とする画像処理方法。
【請求項２】
前記見本画像の分光吸収を測定し、その測定結果に基づいて当該見本画像を調整する調整工程を含み、
前記抽出工程では、前記入力された画像情報及び前記調整工程において調整された見本画像から前記特徴点が抽出されることを特徴とする請求項１に記載の画像処理方法。
【請求項３】
前記見本画像の空間周波数特性を取得する取得工程を含み、
前記設定工程では、前記取得工程において取得された空間周波数特性に基づいて前記信号変換条件が設定されることを特徴とする請求項１又は２に記載の画像処理方法。
【請求項４】
前記見本画像の粒状情報を取得する取得工程を含み、
前記設定工程では、前記取得工程において取得された粒状情報に基づいて前記信号変換条件が設定されることを特徴とする請求項１又は２に記載の画像処理方法。
【請求項５】
前記入力された画像情報と前記見本画像の差分情報を取得する差分情報取得工程と、
前記取得された差分情報から、前記入力された画像情報に対する変換量を算出し、その算出された変換量が所定値以上であるか否かを判定する判定工程と、
前記判定工程において、前記変換量が所定値以上であると判定された場合、当該変換量での変換によって前記入力された画像情報の画質が劣化する可能性がある旨を通知する通知工程と、を含み、
前記判定工程において、前記変換量が所定値未満であると判定された場合、前記設定工程において、前記入力された画像情報に対する信号変換条件が設定されることを特徴とする請求項１又は２に記載の画像処理方法。
【請求項６】
記録媒体に記録された画像情報を入力する画像入力手段と、
前記画像入力手段により入力された画像情報と、当該入力された画像情報と同一の被写体が記録された見本画像から、共通する複数の特徴点を抽出する抽出手段と、
前記抽出手段により抽出された複数の特徴点に基づいて、前記入力された画像情報に対する信号変換条件を設定する設定手段と、
前記設定手段により設定された信号変換条件に従って、前記入力された画像情報を階調変換する階調変換手段と、
を備えることを特徴とする画像処理装置。
【請求項７】
前記見本画像の分光吸収を測定し、その測定結果に基づいて当該見本画像を調整する調整手段を備え、
前記抽出手段は、前記入力された画像情報及び前記調整手段により調整された見本画像から前記特徴点を抽出することを特徴とする請求項６に記載の画像処理装置。
【請求項８】
前記見本画像の空間周波数特性を取得する取得手段を備え、
前記設定手段は、前記取得手段により取得された空間周波数特性に基づいて前記信号変換条件を設定することを特徴とする請求項６又は７に記載の画像処理装置。
【請求項９】
前記見本画像の粒状情報を取得する取得手段を備え、
前記設定手段は、前記取得手段により取得された粒状情報に基づいて前記信号変換条件を設定することを特徴とする請求項６又は７に記載の画像処理装置。
【請求項１０】
前記入力された画像情報と前記見本画像の差分情報を取得する差分情報取得手段と、
前記取得された差分情報から、前記入力された画像情報に対する変換量を算出し、その算出された変換量が所定値以上であるか否かを判定する判定手段と、
前記判定手段により、前記変換量が所定値以上であると判定された場合、当該変換量での変換によって前記入力された画像情報の画質が劣化する可能性がある旨を通知する通知手段と、を備え、
前記判定手段により、前記変換量が所定値未満であると判定された場合、前記設定手段は、前記入力された画像情報に対する信号変換条件を設定することを特徴とする請求項６又は７に記載の画像処理装置。
【請求項１１】
画像処理装置を制御するコンピュータに、
画像処理装置に入力された画像情報と、当該入力された画像情報と同一の被写体が記録された見本画像から、共通する複数の特徴点を抽出する抽出機能と、
前記抽出機能により抽出された複数の特徴点に基づいて、前記入力された画像情報に対する信号変換条件を設定する設定機能と、
前記設定機能により設定された信号変換条件に従って、前記入力された画像情報を階調変換する階調変換機能と、
を実現させるための画像処理プログラム。
【請求項１２】
前記見本画像の分光吸収を測定し、その測定結果に基づいて当該見本画像を調整する調整機能を実現させ、
前記抽出機能を実現させる際に、前記入力された画像情報及び前記調整機能により調整された見本画像から前記特徴点を抽出することを特徴とする請求項１１に記載の画像処理プログラム。
【請求項１３】
前記見本画像の空間周波数特性を取得する取得機能を実現させ、
前記設定機能を実現させる際に、前記取得機能により取得された空間周波数特性に基づいて前記信号変換条件を設定することを特徴とする請求項１１又は１２に記載の画像処理プログラム。
【請求項１４】
前記見本画像の粒状情報を取得する取得機能を実現させ、
前記設定機能を実現させる際に、前記取得機能により取得された粒状情報に基づいて前記信号変換条件を設定することを特徴とする請求項１１又は１２に記載の画像処理プログラム。
【請求項１５】
前記入力された画像情報と前記見本画像の差分情報を取得する差分情報取得機能と、
前記取得された差分情報から、前記入力された画像情報に対する変換量を算出し、その算出された変換量が所定値以上であるか否かを判定する判定機能と、
前記判定機能により、前記変換量が所定値以上であると判定された場合、当該変換量での変換によって前記入力された画像情報の画質が劣化する可能性がある旨を通知する通知機能と、を実現させ、
前記設定機能は、前記判定機能により、前記変換量が所定値未満であると判定された場合に、前記入力された画像情報に対する信号変換条件を設定することを特徴とする請求項１１又は１２に記載の画像処理プログラム。
【発明の詳細な説明】
【技術分野】
【０００１】
本発明は、画像処理方法、画像処理装置及び画像処理プログラムに関する。
【背景技術】
【０００２】
写真プリントサービスの現場においては、例えば、ネガフィルムや画像記録メディアに保存された画像情報の色調、明るさ等を調整して、写真プリントを作成したり、画像記録メディアに記録された出力画像（以下、特に明記しない限り、これらをあわせて画像と表記する。）を得る作業が日常的且つ頻繁に行われている。画像の調整は、例えば、オペレータが記録画像を観察して、常識の観点で好ましい画像に仕上げる場合と、コンピュータにより自動的に行う場合がある。従来から、コンピュータにより自動的に好ましい画像出力品質を得る様々な手法が提案されている。例えば、特許文献１では、画像情報の中から被写体である人物の顔画像を抽出し、抽出された顔画像に基づいて画像再現条件を求める手法が提案されている。このような手法によって、出力画像の生産性、品質が向上し、高度な技術を要しない画像出力サービスが可能となっている。
【特許文献１】特開平６−６７３２０号公報
【発明の開示】
【発明が解決しようとする課題】
【０００３】
プリントサービスを依頼する顧客が、例えば、同一画像を以前出力した結果を店舗に持ち込み、これを見本画像として、仕上り画像を得るように依頼する場合がある。例えば、年賀状に写真画像を貼り付けて写真付きのポストカードを作成するサービスにおいては、同一画像を用いて多数の複製プリントを作成するため、仕上り品位を確実にするために、写真の色調を指定するための色見本プリントを添付する場合が多い。この場合、色見本プリントは、前述のような、コンピュータによる自動出力によって生成されたものではない場合が多く、往々にして、依頼者自身の主観によって調整されている。また、画像出力に用いる媒体（例えば、カラー銀塩印画紙）と、持ち込まれた見本写真が記録された媒体が異なる（例えば、他のメーカーのカラー銀塩印画紙）場合、赤色、空色等、各々の色調の発色が異なり、容易に色見本プリントの色調が得られないことが多い。このように、見本写真に近似した色調の調整は、熟練したオペレータの能力が必要とされる、手間のかかる作業であった。
【０００４】
本発明の課題は、見本画像に近似した色調の出力画像を容易に得る画像処理を可能にすることである。
【課題を解決するための手段】
【０００５】
上記課題を解決するため、請求項１に記載の発明は、記録媒体に記録された画像情報を入力する画像入力工程と、前記画像入力工程において入力された画像情報と、当該入力された画像情報と同一の被写体が記録された見本画像から、共通する複数の特徴点を抽出する抽出工程と、前記抽出工程において抽出された複数の特徴点に基づいて、前記入力された画像情報に対する信号変換条件を設定する設定工程と、前記設定工程において設定された信号変換条件に従って、前記入力された画像情報を階調変換する階調変換工程と、を含むことを特徴としている。
【０００６】
請求項２に記載の発明は、請求項１に記載の画像処理方法において、前記見本画像の分光吸収を測定し、その測定結果に基づいて当該見本画像を調整する調整工程を含み、前記抽出工程では、前記入力された画像情報及び前記調整工程において調整された見本画像から前記特徴点が抽出されることを特徴としている。
【０００７】
請求項３に記載の発明は、請求項１又は２に記載の画像処理方法において、前記見本画像の空間周波数特性を取得する取得工程を含み、前記設定工程では、前記取得工程において取得された空間周波数特性に基づいて前記信号変換条件が設定されることを特徴としている。
【０００８】
請求項４に記載の発明は、請求項１又は２に記載の画像処理方法において、前記見本画像の粒状情報を取得する取得工程を含み、前記設定工程では、前記取得工程において取得された粒状情報に基づいて前記信号変換条件が設定されることを特徴としている。
【０００９】
請求項５に記載の発明は、請求項１又は２に記載の画像処理方法において、前記入力された画像情報と前記見本画像の差分情報を取得する差分情報取得工程と、前記取得された差分情報から、前記入力された画像情報に対する変換量を算出し、その算出された変換量が所定値以上であるか否かを判定する判定工程と、前記判定工程において、前記変換量が所定値以上であると判定された場合、当該変換量での変換によって前記入力された画像情報の画質が劣化する可能性がある旨を通知する通知工程と、を含み、前記判定工程において、前記変換量が所定値未満であると判定された場合、前記設定工程において、前記入力された画像情報に対する信号変換条件が設定されることを特徴としている。
【００１０】
請求項６に記載の発明は、記録媒体に記録された画像情報を入力する画像入力手段と、前記画像入力手段により入力された画像情報と、当該入力された画像情報と同一の被写体が記録された見本画像から、共通する複数の特徴点を抽出する抽出手段と、前記抽出手段により抽出された複数の特徴点に基づいて、前記入力された画像情報に対する信号変換条件を設定する設定手段と、前記設定手段により設定された信号変換条件に従って、前記入力された画像情報を階調変換する階調変換手段と、を備えることを特徴としている。
【００１１】
請求項７に記載の発明は、請求項６に記載の画像処理装置において、前記見本画像の分光吸収を測定し、その測定結果に基づいて当該見本画像を調整する調整手段を備え、
前記抽出手段は、前記入力された画像情報及び前記調整手段により調整された見本画像から前記特徴点を抽出することを特徴としている。
【００１２】
請求項８に記載の発明は、請求項６又は７に記載の画像処理装置において、前記見本画像の空間周波数特性を取得する取得手段を備え、前記設定手段は、前記取得手段により取得された空間周波数特性に基づいて前記信号変換条件を設定することを特徴としている。
【００１３】
請求項９に記載の発明は、請求項６又は７に記載の画像処理装置において、前記見本画像の粒状情報を取得する取得手段を備え、前記設定手段は、前記取得手段により取得された粒状情報に基づいて前記信号変換条件を設定することを特徴としている。
【００１４】
請求項１０に記載の発明は、請求項６又は７に記載の画像処理装置において、前記入力された画像情報と前記見本画像の差分情報を取得する差分情報取得手段と、前記取得された差分情報から、前記入力された画像情報に対する変換量を算出し、その算出された変換量が所定値以上であるか否かを判定する判定手段と、前記判定手段により、前記変換量が所定値以上であると判定された場合、当該変換量での変換によって前記入力された画像情報の画質が劣化する可能性がある旨を通知する通知手段と、を備え、前記判定手段により、前記変換量が所定値未満であると判定された場合、前記設定手段は、前記入力された画像情報に対する信号変換条件を設定することを特徴としている。
【００１５】
請求項１１に記載の発明は、画像処理装置を制御するコンピュータに、画像処理装置に入力された画像情報と、当該入力された画像情報と同一の被写体が記録された見本画像から、共通する複数の特徴点を抽出する抽出機能と、前記抽出機能により抽出された複数の特徴点に基づいて、前記入力された画像情報に対する信号変換条件を設定する設定機能と、前記設定機能により設定された信号変換条件に従って、前記入力された画像情報を階調変換する階調変換機能と、を実現させるための画像処理プログラムである。
【００１６】
請求項１２に記載の発明は、請求項１１に記載の画像処理プログラムにおいて、前記見本画像の分光吸収を測定し、その測定結果に基づいて当該見本画像を調整する調整機能を実現させ、前記抽出機能を実現させる際に、前記入力された画像情報及び前記調整機能により調整された見本画像から前記特徴点を抽出することを特徴としている。
【００１７】
請求項１３に記載の発明は、請求項１１又は１２に記載の画像処理プログラムにおいて、前記見本画像の空間周波数特性を取得する取得機能を実現させ、前記設定機能を実現させる際に、前記取得機能により取得された空間周波数特性に基づいて前記信号変換条件を設定することを特徴としている。
【００１８】
請求項１４に記載の発明は、請求項１１又は１２に記載の画像処理プログラムにおいて、前記見本画像の粒状情報を取得する取得機能を実現させ、前記設定機能を実現させる際に、前記取得機能により取得された粒状情報に基づいて前記信号変換条件を設定することを特徴としている。
【００１９】
請求項１５に記載の発明は、請求項１１又は１２に記載の画像処理プログラムにおいて、前記入力された画像情報と前記見本画像の差分情報を取得する差分情報取得機能と、前記取得された差分情報から、前記入力された画像情報に対する変換量を算出し、その算出された変換量が所定値以上であるか否かを判定する判定機能と、前記判定機能により、前記変換量が所定値以上であると判定された場合、当該変換量での変換によって前記入力された画像情報の画質が劣化する可能性がある旨を通知する通知機能と、を実現させ、前記設定機能は、前記判定機能により、前記変換量が所定値未満であると判定された場合に、前記入力された画像情報に対する信号変換条件を設定することを特徴としている。
【発明の効果】
【００２０】
本発明によれば、入力された画像情報と見本画像に共通する特徴点を抽出して、抽出された複数の特徴点に基づいて、入力された画像情報に対する信号変換条件（画像処理条件）を設定することにより、見本画像に近似した画像を出力することが可能になる。
【発明を実施するための最良の形態】
【００２１】
以下、図面を参照して、本発明の実施形態について詳細に説明する。
まず、本実施形態における構成について説明する。
【００２２】
図１に、本発明の実施形態に係る画像処理装置１００の構成を示す。画像処理装置１００は、図１に示すように、分光測色部１、画像入力部２、ＦＢ（Flat-Bed）スキャナ１１、フィルムスキャナ１２、メディアドライバ１３、画像処理部３、メモリ４、画像表示部５、指示入力部６、画像出力部７により構成される。
【００２３】
分光測色部１は、見本プリント（見本写真）の有彩色点を読み込んで、見本プリント色素の分光吸収特性を取得（推測）し、取得された分光吸収特性のデータを画像入力部２に出力する。
【００２４】
画像入力部２は、ＦＢスキャナ１１、フィルムスキャナ１２、メディアドライバ１３、分光測色部１の何れかから入力されたデータを画像処理部３に出力する。
【００２５】
ＦＢスキャナ１１は、光源、ＣＣＤ（Charge-Coupled Device）、Ａ／Ｄコンバータ等により構成され、原稿台に載置された写真プリント等の原稿に光源の光を照射し、その反射光をＣＣＤにより電気信号（アナログ信号）に変換し、Ａ／Ｄコンバータにより、このアナログ信号をデジタル信号に変換することによって、デジタル画像信号を取得する。
【００２６】
フィルムスキャナ１２は、現像済みの写真フィルム等の透過原稿を読み取り、デジタル画像信号を取得する。メディアドライバ１３は、ＣＤ−Ｒ、メモリスティック（登録商標）、スマートメディア（登録商標）、コンパクトフラッシュ（登録商標）、マルチメディアカード（登録商標）、ＳＤメモリカード（登録商標）等の各種記録メディアが装着可能な構成となっており、これらの記録メディアに記録された画像信号を読み取る。
【００２７】
画像処理部３は、メモリ４に格納された画像処理プログラムに従って、画像処理（図２参照）を実行する。画像処理部３の内部は、図１に示すように、前処理部３１、領域抽出処理部３２、領域抽出結果評価部３３、評価結果反映部３４により構成される。
【００２８】
前処理部３１は、以降の信号処理のための前処理を行い、領域抽出処理部３２に出力する。例えば、画像入力部２から、ネガフィルムに記録された画像情報が入力された場合、前処理部３１は、透過光量を示す信号値から光学濃度を示す信号値に変換し、ポジ画像情報を得る。また、前処理部３１は、ＦＢスキャナ１１、フィルムスキャナ１２、メディアドライバ１３の何れかから画像入力部２を介して入力された画像情報（以下、入力画像情報と呼ぶ。）と、その入力画像情報と同一の被写体が記録された分光測光処理済の見本プリント（見本写真）の読み取り信号値の平均値、分散を算出し、算出された平均値、分散が、見本プリント、入力画像情報で一致するように入力画像情報を変換する。
【００２９】
領域抽出処理部３２は、前処理部３１から出力された画像情報から、見本プリント画像情報及び入力画像情報の閉領域を抽出し、領域抽出結果評価部３３に出力する。
【００３０】
領域抽出結果評価部３３は、領域抽出処理部３２において抽出された見本プリント画像情報及び入力画像情報の閉領域に含まれる信号の特性値等に基づいて特徴点を抽出する。また、領域抽出結果評価部３３は、見本プリント画像情報の特徴点と、入力画像情報の特徴点を比較することにより、両画像情報に共通の特徴点を抽出し、抽出結果を評価結果反映部３４に出力する。
【００３１】
評価結果反映部３４は、領域抽出結果評価部３３において抽出された共通特徴点に基づいて、入力画像情報に対する信号変換条件を決定し、その決定された信号変換条件に従って入力画像情報を階調変換する。ここでの階調変換は、画像入力部２から入力された入力画像情報そのものであってもよいし、前処理部３１において前処理が施された入力画像情報であってもよい。
【００３２】
メモリ４は、画像処理部３で実行される画像処理プログラム及びこの画像処理プログラムで使用されるデータ等を格納する。例えば、メモリ４は、画像処理プログラムで使用されたデータとして、メディア毎に階調変換特性を示すデータを保存している。また、メモリ４は、画像処理部３により処理された画像情報を保存する。
【００３３】
画像表示部５は、ＬＣＤ（Liquid Crystal Display）等の表示画面を有し、画像処理部３から入力される表示制御信号に従って、所要の表示を行う。
【００３４】
指示入力部６は、キーボードやマウス等の入力デバイスを備え、入力デバイスの操作による操作信号を画像処理部３に出力する。なお、指示入力部６は、画像表示部５の表示画面を覆うように重畳して設けられたタッチパネルを備えていてもよい。タッチパネルは、電磁誘導式、磁気歪式、感圧式等の読み取り原理によって、タッチ指示された座標を検出し、検出した座標を位置信号として画像処理部３に出力する。
【００３５】
画像出力部７は、図１に示すように、画像出力制御部７１、画像プリント部７２、メディア書き込み部７３により構成される。
【００３６】
画像出力制御部７１は、画像処理部３において画像処理された画像情報を、指定された出力先（画像プリント部７２、メディア書き込み部７３）に出力するための制御を行う。画像プリント部７２は、画像出力制御部７１から入力された出力画像情報に基づいて感光材料に露光し、露光された感光材料を現像処理して乾燥し、写真プリントを作成する。メディア書き込み部７３は、各種の記録メディアが装着可能な構成となっており、画像処理部３において生成された画像情報を、装着された記録メディアに記録する。
【００３７】
次に、本実施形態における動作について説明する。
図２のフローチャートを参照して、画像処理装置１００において実行される画像処理について説明する。
【００３８】
まず、ＦＢスキャナ１１、フィルムスキャナ１２、メディアドライバ１３の何れかから画像情報（画像データ）が入力（取得）される（ステップＳ１）。次いで、分光測色部１において、ステップＳ１で入力された画像情報と同一の被写体が記録された見本プリント（見本写真）の分割測光が行われる（ステップＳ２）。見本プリントの分割測光の詳細は、後に図３のフローチャートを参照して説明する。
【００３９】
次いで、ステップＳ１において取得された入力画像情報と、ステップＳ２の分割測光により得られた見本プリント画像情報から、共通する特徴点を抽出する共通特徴点抽出処理が行われる（ステップＳ３）。共通特徴点抽出処理の詳細は、後に図５のフローチャートを参照して説明する。
【００４０】
次いで、ステップＳ３で抽出された共通特徴点から、入力画像情報に対する信号変換条件が決定され（ステップＳ４）、その決定された信号変換条件が３次元ＬＵＴ（Look Up Table）としてメモリ４に記録（設定）される（ステップＳ５）。
【００４１】
次いで、ステップＳ５で設定された３次元ＬＵＴを用いて、入力画像情報が階調変換される（ステップＳ６）。そして、階調変換処理後の画像情報が出力され（ステップＳ７）、本画像処理が終了する。ステップＳ７の画像出力には、例えば、画像プリント部７２によるプリント出力、メディア書き込み部７３による記録メディアへの書き込みが含まれている。画像情報の出力先は、オペレータによる指示入力部６からの指示により決定される。
【００４２】
次に、図３のフローチャートを参照して、図２に示した見本プリントの分割測光処理について詳細に説明する。
【００４３】
まず、見本プリントが、ＦＢスキャナ１１により読み込まれ（ステップＳ１０）、読みこまれた見本プリント画像の階調変換特性を取得する階調変換特性取得処理が行われる（ステップＳ１１）。ステップＳ１１の階調変換特性取得処理の詳細は、後に図４を参照して説明する。次いで、ステップＳ１１で取得された階調変換特性に基づいて、読み込まれた見本プリント画像が階調変換され、階調変換後の画像が見本プリントの画像情報として設定され（ステップＳ１２）、本分割測光処理が終了する。
【００４４】
次に、図３の階調変換特性取得処理について、２通りの方法（図４（ａ）及び（ｂ））を挙げて説明する。
【００４５】
まず、図４（ａ）のフローチャートを参照して、階調変換特性取得処理の第１の方法について説明する。
【００４６】
まず、ＦＢスキャナ１１により読み込まれた見本プリントの有彩色点が、分光測色部１により読み込まれ（ステップＳ２０）、読み込まれた有彩色点に基づいて、見本プリントの色素の分光吸収特性が推測される（ステップＳ２１）。次いで、ＦＢスキャナ１１の分光感度と、ステップＳ２１で推測された分光吸収特性から、階調変換特性が取得され（ステップＳ２２）、本階調変換特性取得処理が終了する。
【００４７】
次に、図４（ｂ）のフローチャートを参照して、階調変換特性取得処理の第２の方法について説明する。
【００４８】
まず、指示入力部６により、見本プリントのメディア情報が入力される（ステップＳ３０）。ステップＳ３０では、例えば、見本プリントがインクジェット紙（ＩＪ紙）にプリントされている場合、メディア情報として、インクジェット紙を示すデータが入力され、見本プリントが銀塩印画紙にプリントされている場合、メディア情報として、銀塩印画紙を示すデータが入力される。
【００４９】
次いで、メモリ４に保存されているメディア毎の階調変換特性の中から、ステップＳ３０で入力されたメディア情報に対応する階調変換特性が選択され（ステップＳ３１）、その選択された階調変換特性が、見本プリントに適用される階調変換特性として設定され（ステップＳ３２）、本階調変換特性取得処理が終了する。
【００５０】
次に、図５のフローチャートを参照して、図２に示した共通特徴点抽出処理の詳細について説明する。
【００５１】
まず、分光測光処理済の見本プリント画像情報と入力画像情報が取得され、画像表示部５の画像処理画面に表示される（ステップＳ４０）。画像処理画面は、図７に示すように、入力画像表示部αと見本画像表示部βから構成され、入力画像表示部αに入力画像情報が表示され、見本画像表示部βに見本プリント画像情報が表示される。
【００５２】
次いで、見本プリント画像情報と入力画像情報における特徴点の位置情報を取得する特徴点位置情報取得処理が行われる（ステップＳ４１）。ステップＳ４１の特徴点位置情報取得処理については、後に図６を参照して詳細に説明する。
【００５３】
次いで、見本プリント画像情報、入力画像情報の各々について、ステップＳ４１で取得された位置情報の近傍の画像情報が取得され（ステップＳ４２）、その取得された近傍画像情報から、特徴点が抽出される（ステップＳ４３）。ステップＳ４３では、該当する近傍領域における画像信号値のばらつき、近傍形態、当該近傍領域における画像エッジの存在状況等に基づいて特徴点が抽出される。
【００５４】
次いで、見本プリント画像情報の特徴点と入力画像情報の特徴点の、抽出数及び抽出箇所が整合しているか否かが判定される（ステップＳ４４）。ステップＳ４４において、抽出箇所の整合性は、具体的に、上記近傍領域におけるエッジの存在状況、近傍領域の形態が、見本プリント画像情報の特徴点と入力画像情報の特徴点で近似しているか否かによって判定される。更に、２点目以降の特徴点抽出においては、それ以前に抽出された特徴点との位置関係、更には、画像全体から見た位置関係等の情報を用いて、抽出点の整合性がチェックされる。ステップＳ４４において、見本プリント画像情報の特徴点と入力画像情報の特徴点が整合していないと判定された場合（ステップＳ４４；ＮＯ）、見本プリント画像情報及び入力画像情報から、次の特徴点候補が抽出され、抽出された次の特徴点について、ステップＳ４１〜Ｓ４４の処理が繰り返される。
【００５５】
ステップＳ４４において、見本プリント画像情報の特徴点と入力画像情報の特徴点が整合していると判定された場合（ステップＳ４４；ＹＥＳ）、抽出された特徴点の数が十分であるか、即ち、抽出された特徴点の数が所定数以上であるか否かが判定される（ステップＳ４５）。
【００５６】
ステップＳ４５において、抽出された特徴点の数が不十分である（即ち、抽出された特徴点の数が所定数未満である）と判定された場合（ステップＳ４５；ＮＯ）、図７の画像処理画面の下部に示したように、特徴点を更に抽出することを促すメッセージが表示され、見本プリント画像情報及び入力画像情報から、次の特徴点候補が抽出され、抽出された次の特徴点について、ステップＳ４１〜Ｓ４４の処理が繰り返される。ステップＳ４５において、抽出された特徴点の数が十分である（即ち、抽出された特徴点の数が所定数以上である）と判定された場合（ステップＳ４５；ＹＥＳ）、本共通特徴点抽出処理が終了する。
【００５７】
なお、図７に示す画像処理画面は、見本プリント画像情報と入力画像情報の共通特徴点の設定だけでなく、両画像の色あわせ結果の確認のためにも用いられる。図７の下部には、色あわせ作業が行われていることを示すメッセージが表示されている。
【００５８】
次に、図５に示した特徴点位置情報取得処理の詳細を、２通りの方法（図６（ａ）及び（ｂ））を挙げて説明する。
【００５９】
まず、図６（ａ）のフローチャートを参照して、特徴点位置情報取得処理の第１の方法について説明する。
【００６０】
まず、オペレータによる指示入力部６の操作により、見本プリント画像情報と入力画像情報のそれぞれの共通箇所が指示される（ステップＳ５０）。図７では、共通箇所が３箇所（図７の黒丸）指示された場合が示されている。次いで、ステップＳ５０で指示された共通箇所の位置情報が対で取得されるとともに、その取得された位置が画面に表示され（ステップＳ５１）、本特徴点位置情報取得処理が終了する。
【００６１】
次に、図６（ｂ）のフローチャートを参照して、特徴点位置情報取得処理の第２の方法について説明する。
【００６２】
まず、見本プリント画像情報と入力画像情報のそれぞれについて、顔等の被写体パターンが抽出される（ステップＳ６０）。次いで、見本プリント画像情報と入力画像情報のそれぞれについて抽出された被写体パターンの中から特徴点が取得され、取得された特徴点の箇所（位置）が画面に表示され（ステップＳ６１）、本特徴点位置情報取得処理が終了する。
【００６３】
以上のように、本実施形態の画像処理装置１００によれば、入力画像情報と見本プリント画像情報に共通する特徴点を抽出して、抽出された複数の特徴点に基づいて、入力画像情報に対する信号変換条件（画像処理条件）を設定することにより、見本プリント画像に近似した画像を出力することが可能になる。
【００６４】
<変形例１>
次に、図８フローチャートを参照して、図２に示した画像処理の変形例１として、見本プリント画像の空間周波数特性に基づいて入力画像情報に対する信号変換条件を設定する場合の画像処理について説明する。
【００６５】
まず、ＦＢスキャナ１１、フィルムスキャナ１２、メディアドライバ１３の何れかから画像情報（画像データ）が入力（取得）される（ステップＳ７０）。次いで、分光測色部１において、ステップＳ７０で入力された画像情報と同一の被写体が記録された見本プリント（見本写真）の分割測光（図３参照）が行われる（ステップＳ７１）。
【００６６】
次いで、ステップＳ７０において取得された入力画像情報と、ステップＳ７１の分割測光により得られた見本プリント画像情報から、共通する特徴点を抽出する共通特徴点抽出処理（図５参照）が行われる（ステップＳ７２）。
【００６７】
次いで、ステップＳ７２において抽出された共通特徴点の近傍領域が、入力画像情報、見本プリント画像情報の各々について定義される（ステップＳ７３）。そして、ステップＳ７３において定義された各々の近傍領域について、ＦＦＴ（Fast Fourier Transform）、ＤＣＴ（Discrete Cosine Transform）或いはウェーブレット変換を用いて空間周波数特性が取得される（ステップＳ７４）。
【００６８】
次いで、入力画像情報の空間周波数特性を、見本プリント画像情報の空間周波数特性に一致させるために、入力画像情報及び見本プリント画像情報の各々の特徴点近傍の調整条件が取得され（ステップＳ７５）、その取得された各々の特徴点近傍の調整条件に基づいて、画面全体の調整条件が取得される（ステップＳ７６）。
【００６９】
次いで、ステップＳ７６において取得された画面全体の調整条件に対応した空間フィルタ条件が設定され（ステップＳ７７）、その設定された空間フィルタを用いて、入力画像情報が階調変換される（ステップＳ７８）。そして、階調変換処理後の画像情報が出力され（ステップＳ７９）、本画像処理が終了する。ステップＳ７９の画像出力には、例えば、画像プリント部７２によるプリント出力、メディア書き込み部７３による記録メディアへの書き込みが含まれている。画像情報の出力先は、オペレータによる指示入力部６からの指示により決定される。
【００７０】
以上のように、見本プリント画像情報の空間周波数特性に基づいて入力画像情報に対する信号変換条件を設定するようにしたことにより、入力画像情報を一層、見本プリント画像情報に近似させることが可能になる。
【００７１】
<変形例２>
次に、図９フローチャートを参照して、図２に示した画像処理の変形例２として、見本プリント画像の粒状特性に基づいて入力画像情報に対する信号変換条件を設定する場合の画像処理について説明する。
【００７２】
まず、ＦＢスキャナ１１、フィルムスキャナ１２、メディアドライバ１３の何れかから画像情報（画像データ）が入力（取得）される（ステップＳ８０）。次いで、分光測色部１において、ステップＳ８０で入力された画像情報と同一の被写体が記録された見本プリント（見本写真）の分割測光（図３参照）が行われる（ステップＳ８１）。
【００７３】
次いで、ステップＳ８０において取得された入力画像情報と、ステップＳ８１の分割測光により得られた見本プリント画像情報から、共通する特徴点を抽出する共通特徴点抽出処理（図５参照）が行われる（ステップＳ８２）。次いで、見本プリント画像情報からエッジ情報が取得され、ステップＳ８２で抽出された共通特徴点を用いて、入力画像情報及び見本プリント画像情報に共通するエッジが抽出される（ステップＳ８３）。
【００７４】
次いで、ステップＳ８３で抽出された共通エッジに囲まれ、且つエッジ情報を含まない共通領域（平坦領域）が、入力画像情報、見本プリント画像情報の各々について定義される（ステップＳ８４）。そして、ステップＳ８４で定義された各々の共通領域について、ＦＦＴ（Fast Fourier Transform）、ＤＣＴ（Discrete Cosine Transform）或いはウェーブレット変換を用いて、空間周波数帯域毎の信号強度が取得される（ステップＳ８５）。
【００７５】
次いで、入力画像情報の信号強度を、見本プリント画像情報の信号強度に近似させるための、各々の共通領域の調整条件（ノイズフィルタ条件（例えば、微小信号カットのコアリング処理条件或いは特性周波数帯域の減衰処理条件））が取得され（ステップＳ８６）、その取得された各々の共通領域の調整条件に基づいて、画面全体の調整条件が取得される（ステップＳ８７）。
【００７６】
次いで、ステップＳ８７において取得された画面全体の調整条件に対応した空間フィルタ条件が設定され（ステップＳ８８）、その設定された空間フィルタを用いて、入力画像情報が階調変換される（ステップＳ８９）。そして、階調変換処理後の画像情報が出力され（ステップＳ９０）、本画像処理が終了する。ステップＳ９０の画像出力には、例えば、画像プリント部７２によるプリント出力、メディア書き込み部７３による記録メディアへの書き込みが含まれている。画像情報の出力先は、オペレータによる指示入力部６からの指示により決定される。
【００７７】
以上のように、見本プリント画像の粒状特性に基づいて入力画像情報に対する信号変換条件を設定するようにしたことにより、入力画像情報を一層、見本プリント画像情報に近似させることが可能になる。
【００７８】
〈変形例３〉
次に、図１０フローチャートを参照して、図２に示した画像処理の変形例３として、見本プリント画像情報と入力画像情報の差分情報が所定値を超えているときにオペレータに通知する場合の画像処理について説明する。
【００７９】
まず、ＦＢスキャナ１１、フィルムスキャナ１２、メディアドライバ１３の何れかから画像情報（画像データ）が入力（取得）される（ステップＳ１００）。次いで、分光測色部１において、ステップＳ１００で入力された画像情報と同一の被写体が記録された見本プリント（見本写真）の分割測光（図３参照）が行われる（ステップＳ１０１）。
【００８０】
次いで、ステップＳ１００において取得された入力画像情報と、ステップＳ１０１の分割測光により得られた見本プリント画像情報から、共通する特徴点を抽出する共通特徴点抽出処理（図５参照）が行われる（ステップＳ１０２）。
【００８１】
次いで、ステップＳ１０２で抽出された共通特徴点に基づいて、見本プリント画像情報と入力画像情報の差分情報が取得され（ステップＳ１０３）、差分情報の最大値（変換量）が算出される（ステップＳ１０４）。そして、ステップＳ１０４で算出された差分情報の最大値（変換量）が所定値以上であるか否かが判定される（ステップＳ１０５）。
【００８２】
ステップＳ１０５において、差分情報の最大値（変換量）が所定値以上であると判定された場合（ステップＳ１０５；ＹＥＳ）、画像表示部５に、入力画像情報に対する階調変換により階調性が劣化する可能性がある旨を通知するメッセージが表示される（ステップＳ１０６）。ステップＳ１０６において、画像表示部５には、例えば、「色変換量が大きくなっています。階調性の劣化が懸念されます。続行しますか？」というメッセージが表示される。
【００８３】
画像表示部５に表示されたメッセージを見たオペレータによる指示入力部６の操作により、画像処理画面（図７参照）の「完了」ボタンが指定されると（ステップＳ１０７；ＮＯ）、入力画像情報に対する色補正（色変換）が行われずに、本画像処理は終了する（ステップＳ１０８）。また、オペレータによる指示入力部６の操作により、色変換の変換量（補正量）が軽減されると（ステップＳ１０７；ＮＯ）、後述のステップＳ１０９に移行する。また、指示入力部６の操作により、入力画像情報に対する色変換（色補正）の続行が指示された場合も（ステップＳ１０７；ＹＥＳ）、ステップＳ１０９に移行する。
【００８４】
ステップＳ１０５において、差分情報の最大値（変換量）が所定値未満であると判定された場合（ステップＳ１０５；ＮＯ）、ステップＳ１０２で抽出された、入力画像情報と見本プリント画像情報の共通特徴点から、入力画像情報に対する信号変換条件が決定され（ステップＳ１０９）、その決定された信号変換条件が３次元ＬＵＴ（Look Up Table）としてメモリ４に記録（設定）される（ステップＳ１１０）。
【００８５】
次いで、ステップＳ５で設定された３次元ＬＵＴを用いて、入力画像情報が階調変換される（ステップＳ１１１）。そして、階調変換処理後の画像情報が出力され（ステップＳ１１２）、本画像処理が終了する。ステップＳ９０の画像出力には、例えば、画像プリント部７２によるプリント出力、メディア書き込み部７３による記録メディアへの書き込みが含まれている。画像情報の出力先は、オペレータによる指示入力部６からの指示により決定される。
【００８６】
以上のように、見本プリント情報と入力画像情報の差分情報を取得し、入力画像情報に対する変換量が所定値を超えている場合に、オペレータに通知するようにしたことにより、入力画像情報に対する過度の階調変換による階調性の劣化を防止することができる。
【００８７】
なお、本実施形態における記述内容は、本発明の趣旨を逸脱しない範囲で適宜変更可能である。
【図面の簡単な説明】
【００８８】
【図１】本発明の実施形態に係る画像処理装置の構成を示すブロック図。
【図２】本実施形態の画像処理装置において実行される画像処理を示すフローチャート。
【図３】図２に示した分割測光処理の詳細を示すフローチャート。
【図４】図３に示した階調変換特性取得処理の詳細を示すフローチャート。
【図５】図２に示した共通特徴点抽出処理の詳細を示すフローチャート。
【図６】図５に示した特徴点位置情報取得処理の詳細を示すフローチャート。
【図７】図５の共通特徴点抽出処理において画像表示部に表示される情報の一例を示す図。
【図８】本実施形態の変形例１における画像処理を示すフローチャート。
【図９】本実施形態の変形例２における画像処理を示すフローチャート。
【図１０】本実施形態の変形例３における画像処理を示すフローチャート。
【符号の説明】
【００８９】
１    分光測色部
１１  ＦＢスキャナ
１２  フィルムスキャナ
１３  メディアドライバ
２    画像入力部
３    画像処理部
３１  前処理部
３２  領域抽出処理部
３３  領域抽出結果評価部
３４  評価結果反映部
４    メモリ
５    画像表示部
６    指示入力部
７    画像出力部
７１  画像出力制御部
７２  画像プリント部
７３  メディア書き込み部
１００  画像処理装置
α    入力画像表示部
β    見本画像表示部
【図１】
2005217619.tif 000003
【図２】
2005217619.tif 000004
【図３】
2005217619.tif 000005
【図４】
2005217619.tif 000006
【図５】
2005217619.tif 000007
【図６】
2005217619.tif 000008
【図８】
2005217619.tif 000009
【図９】
2005217619.tif 000010
【図１０】
2005217619.tif 000011
【図７】
2005217619.tif 000012